(57)【要約】【課題】深みのある立体感を表現でき、表現の自由度の高い計器を提供する。【解決手段】リング部材１７は文字板１３の外周部に沿うようなリング状をして導光性を有する透明部材で形成されており、光源１２２からの光を受けて光輝する。このリング部材１７の表面には意匠１７１が形成されており、この意匠１７１に反射された光源１２２からの光が照射されるリング部材１７の裏面には反射層１７２が形成されている。よって、意匠１７１により反射された光はリング部材１７内を進行して反射層１７２に当たる。この結果、反射層１７２から意匠１７１が浮き出したように視認される。【選択図】図１
2007085983.tif 000002
【特許請求の範囲】
【請求項１】
平板状の表示部と、
前記表示部の外周部に沿うようなリング状をして、導光性を有する透明部材で形成されたリング状部材と、
前記リング状部材に入射するための光を発する光源と、
を有する計器であって、
前記リング状部材は、
乗員側への出光面である前記リング状部材の表面に形成された透光性の意匠と、
前記意匠に反射された前記光源からの光が照射される前記リング状部材の裏面に形成された反射層と、
を有することを特徴とする計器。
【請求項２】
請求項１記載の計器において、
前記リング状部材によって乗員側に対して隠蔽されるように前記リング状部材の裏側に配置され、前記表示部の外周部に沿うようなリング状をした第２リング状部材と、
前記第２リング状部材に前記光源とは異なる色で発光する第２光源と、
を更に有することを特徴とする計器。
【請求項３】
請求項２記載の計器において、
前記調光手段は、
所定のトリガ信号に応答して、前記光源及び前記第２光源を互いに異なるタイミングで点灯させる、
ことを特徴とする計器。
【請求項４】
請求項２記載の計器において、
前記調光手段は、
所定のトリガ信号に応答して、前記光源及び前記第２光源の輝度が徐々に変化するように点灯させる、
ことを特徴とする計器。
【発明の詳細な説明】
【技術分野】
【０００１】
本発明は、車両等に搭載される計器に関し、特に、平板状の表示部の外周部に沿うようなリング状をしたリング状部材を有する計器に関する。
【背景技術】
【０００２】
近年、車両等においては、円盤状又は半円盤状の文字板を周回するようなリング状をした装飾用のリング部材を有する計器が多用されている。図１７は、この種の従来の計器を示す正面図である。図１８は、図１７におけるＸＸ線断面図である。
【０００３】
この種の計器９は、コンビネーションメータともよばれ、図１７及び図１８に示すように、速度計９１、エンジン回転計９２、燃料計９３、水温計９４等の各ゲージを備えている。これらゲージは、指針９５及び指針９５にて指示される数字等の意匠が形成された円盤状の文字板９６を備えている。なお、速度計９１には、オド・トリップメータ９１１も組み込まれている。指針９５は、基板９０に搭載されたムーブメント９５１の回転軸が挿着され、各計測値に応じた角度だけ回転する。基板９０には、文字板９６や指針に光を出射する光源９０１や図示しないＩＣチップ等の電子部品が搭載されている。光源９０１からの光を有効利用するために、この計器９の本体ケース９７０の一部には、反射面９７３も一体形成されている。また、各ゲージのうち、速度計９１及びエンジン回転計９２には、文字板９６を周回するようなリング状をした装飾用のリング部材９７が取り付けられている。
【０００４】
更に、計器９の前面（ドライバ等の視点に近い側）は、上記各ゲージやシフトインジケータ９６１、ウォーニング９６２をくり抜くようにして、黒色樹脂製の見返し９８で覆われ、更に、その前面は、スモーク状の表ガラス９９で覆われている。なお、計器９の外周部には、この計器を車両側に取り付けるためのメータ取付部９７１が本体ケース９７０に一体形成され、本体ケース９７０の裏面側には、裏カバー９７２が取り付けられている。このような構成において、所定のトリガ信号に応答して、光源９０１が点灯すると、指針９５や文字板９６が照明される。
【０００５】
ところが、上述のような従来に計器９においては、単に、文字板９６を周回するようなリング部材９７が取り付けられているだけであり、立体感を表現するのには十分でなかった。そこで、文字板の外周部近傍の文字や数字に相当する部分だけを、不透明の傾斜した自発光型のリング部材で形成し、文字や数字はスリット状に抜くようにして形成した計器も下記特許文献１で提案されている。
【特許文献１】特開２００２−２７７２８９号公報
【発明の開示】
【発明が解決しようとする課題】
【０００６】
しかしながら、このような特許文献１の計器においても、リング部材自体は立体的に視認されうるが、リング部材に形成された文字や数字は平面的であり、やはり十分な立体感が表現されているとは言い難かった。すなわち、従来の計器によると、深みのある立体感を表現することができなかった。
【０００７】
また、上述の２つの従来の計器は共に、リング部材が固定的であり表現の自由度に欠けるため、例えば、車種や車格が異なる度にこれらを差別化するために、リング部材や光源を大幅に変更する必要があった。すなわち、従来の計器によると、表現の自由度が低く、リング照明の変更が容易ではなかった。
【０００８】
よって本発明は、上述した現状に鑑み、深みのある立体感を表現でき、表現の自由度の高い計器を提供することを課題としている。
【課題を解決するための手段】
【０００９】
上記課題を解決するためになされた請求項１記載の計器は、平板状の表示部と、前記表示部の外周部に沿うようなリング状をして、導光性を有する透明部材で形成されたリング状部材と、前記リング状部材に入射するための光を発する光源と、を有する計器であって、前記リング状部材は、乗員側への出光面である前記リング状部材の表面に形成された透光性の意匠と、前記意匠に反射された前記光源からの光が照射される前記リング状部材の裏面に形成された反射層と、を有することを特徴とする。
【００１０】
請求項１記載の発明によれば、リング状部材は平板状の表示部の外周部に沿うようなリング状をして導光性を有する透明部材で形成されており、光源からの光を受けて光輝する。このリング状部材の表面には意匠が形成されており、この意匠に反射された光源からの光が照射されるリング状部材の裏面には反射層が形成されている。よって、意匠により反射された光はリング状部材内を進行して反射層に当たる。この結果、反射層から意匠が浮き出したように視認される。
【００１１】
上記課題を解決するためになされた請求項２記載の計器は、請求項１記載の計器において、前記リング状部材によって乗員側に対して隠蔽されるように前記リング状部材の裏側に配置され、前記表示部の外周部に沿うようなリング状をした第２リング状部材と、前記第２リング状部材に前記光源とは異なる色で発光する第２光源と、を更に有することを特徴とする。
【００１２】
請求項２記載の発明によれば、第２リング状部材は、リング状部材によって視点に対して隠蔽され且つ文字板を周回するようなリング状をしており、その光源とは異なる色の第２光源からの光を受けて光輝する。そして、両光源は調光手段によって調光される。よって、異なる色の光の合成によってリング照明を適宜調光することが可能になる。
【００１３】
上記課題を解決するためになされた請求項３記載の計器は、請求項２記載の計器において、前記調光手段は、所定のトリガ信号に応答して、前記光源及び前記第２光源を互いに異なるタイミングで点灯させる、ことを特徴とする。
【００１４】
請求項３記載の発明によれば、所定のトリガ信号に応答して、両光源は互いに異なるタイミングで点灯される。よって、リング照明の発光色を時間経過と共に変化させることができる。
【００１５】
上記課題を解決するためになされた請求項４記載の計器は、請求項２記載の計器において、前記調光手段は、所定のトリガ信号に応答して、前記光源及び前記第２光源の輝度が徐々に変化するように点灯させる、ことを特徴とする。
【００１６】
請求項４記載の発明によれば、所定のトリガ信号に応答して、両光源の輝度が徐々に変化するように点灯される。よって、リング照明の発光色をより詳細に変化させることができる。
【発明の効果】
【００１７】
請求項１記載の発明によれば、リング状部材は平板状の表示部の外周部に沿うようなリング状をして導光性を有する透明部材で形成されており、光源からの光を受けて光輝する。このリング状部材の表面には意匠が形成されており、この意匠に反射された光源からの光が照射されるリング状部材の裏面には反射層が形成されている。よって、意匠により反射された光はリング状部材内を進行して反射層に当たる。この結果、反射層から意匠が浮き出したように視認される（図３参照）。したがって、従来の計器にはない深みのある立体感を表現できる。
【００１８】
請求項２記載の発明によれば、第２リング状部材は、リング状部材によって視点に対して隠蔽され且つ文字板を周回するようなリング状をしており、その光源とは異なる色の第２光源からの光を受けて光輝する。そして、両光源は調光手段によって調光される。よって、異なる色の光の合成によってリング照明を適宜調光することが可能になる。したがって、深みのある立体感を表現しつつ、その表現の自由度を高めることが可能になる。
【００１９】
請求項３記載の発明によれば、所定のトリガ信号に応答して、両光源は互いに異なるタイミングで点灯される。よって、リング照明の発光色を時間経過と共に変化させることができる。したがって、表現の自由度をより一層高めることができる。
【００２０】
請求項４記載の発明によれば、所定のトリガ信号に応答して、両光源の輝度が徐々に変化するように点灯される。よって、リング照明の発光色をより詳細に変化させることができる。したがって、表現の自由度をより一層高めることができる。
【発明を実施するための最良の形態】
【００２１】
以下、本発明の実施の形態を図面に基づいて説明する。
[第１実施形態]
図１〜図３は、本発明の第１実施形態の計器に係るものである。すなわち、図１は、本発明の第１実施形態に係る計器の要部を示す斜視図である。図２は、図１の計器の断面図である。図３は、本発明の第１実施形態の作用を説明するための要部断面図である。なお、図１の斜視図において、図２で示す断面に相当する部分は断面状に表現されている。
【００２２】
第１実施形態の計器１は、例えば、単眼メータ、又は、図１７で示したようなコンビネーションメータにおける速度計に適用される。図１及び図２に示すように、計器１は、ケース１１、基板１２、文字板（請求項の平板状の表示部に対応する）１３、拡散板１４、指針１５、リング部材１７及び見返し１９を含んで構成される。
【００２３】
ケース１１は、例えば、樹脂製であり、この計器１の外形を構成する。ケース１１には、文字板光源１２１からの光を効率的に文字板１３に与えるためのお椀状の傾斜面や指針光源１２５からの光を効率的に指針１５に与えるための円筒部１１１が一体形成されている。また、ケース１１は、文字板１３、拡散板１４、リング部材１７等の形状に対応した受け構造になっている。特に、ケース１１には、リング状に凸設されたリング部材１７の受光部１７ａに対応するような、リング状の溝部１３ａが設けられている。
【００２４】
基板１２は、ケース１１に保持されて、文字板光源１２１、リング用光源１２２、ＩＣチップ等の各種の電子部品１２４、指針光源１２５及びムーブメント１６等を搭載する。各光源１２１、１２２及び１２５はそれぞれ、複数個づつ配置されており、周知の発光ダイオードが用いられている。特に、リング用光源１２２は、リング部材１７の形状に応じて均等間隔でリング状に複数個配置されている。また、各光源１２１、１２２及び１２５間は、ケース１１に一体形成された垂直壁や傾斜壁によって分離されている。
【００２５】
文字板１３は、例えば、円盤状又は半円盤状の透明生地のポリカーボネイト製である。透明生地の文字板１３には、速度を示す数字意匠１３１等の意匠が中抜きされて、黒色のインクが塗布されている。文字板１３の裏面には、拡散板１４が重着されている。拡散板１４は、例えば、白濁色の樹脂製であり、文字板光源１２１からの光を受けて拡散し、これを文字板１３裏面に与える。拡散板１４の文字板光源１２１の対向する部位は、受光効率を上げるために凸状になっている。
【００２６】
指針１５は、ムーブメント１６の回転軸に挿着されている。指針１５は、速度センサからの速度信号に応じた角度だけムーブメント１６に回転されて、文字板１３上の数字意匠１３１等を指示する。指針１５には、その下面に例えば赤色のホットスタンプ層が形成されており、指針光源１２５からの光を受けて、ホットスタンプ層に基づく色で光輝する。
【００２７】
リング部材１７は、文字板１３を周回するような例えば透明樹脂製のリング状をしている。リング部材１７は、樹脂に限らず、裏面側に配置された光源１２２からの光を透過させる材料であればよい。リング部材１７は、透光性があれば、薄色で着色されていてもよい。リング部材１７の表面は、乗員側への出光面であり、文字板に近接する部位を最低部として外側（指針回転軸と反対方向）に向かうにしたがって徐々に上昇するような傾斜面状になっている。この傾斜面１７０には、指針１５に指示される意匠としての目盛意匠１７１が例えば印刷形成されている。なお、目盛意匠１７１は凹凸状に形成してもよい。
【００２８】
また、リング部材１７の裏面側（ドライバ等の視点と反対面側）は、上記傾斜面１７０よりも幅狭の受光部１７ａが裏面側に延びるようにリング状に凸設されている。受光部１７ａの端部は図示するように平面状であるが、受光効率を向上させるために曲面状に形成してもよい。リング部材１７において見返し１９に対向する後傾斜面１７３もまたリング状の平面状に形成されている。
【００２９】
更に、リング部材１７の傾斜面１７０には、上述したように目盛意匠１７１が形成されている。目盛意匠１７１は、例えば、橙色や青色等で印刷形成されている。但し、目盛意匠１７１は半透明であれば他の色であってもよい。また、目盛意匠１７１に凹凸を持たせてもよい。また、リング部材１７の傾斜面１７０には、目盛意匠１７１に替えて数字意匠を形成してもよいしこれらの両意匠を形成してもよい。
【００３０】
一方、リング部材１７の裏面には、白色の反射層１７２が印刷形成されている。反射層１７２は、リング部材１７の裏面一帯にリング状に印刷形成されているが、少なくとも、目盛意匠１７１の反射領域に形成されていればよい。反射層１７２は、反射率を考慮すると白色が好ましいが、これに近い色であれば他の色であってもよい。また、反射層１７２は、印刷形成してもよいが、シートを貼付することにより実現してもよい。
【００３１】
なお、リング部材１７における上記傾斜面１７０に連接されるリング状の後傾斜面１７３は、例えば、黒色樹脂製の見返し１９で覆われて、ドライバ等の側からは隠匿されている。これによって、乗員側からは、リング部材１７における傾斜面１７０のみが視認される。また、文字板１３及びリング部材１７等を覆うようにして、図示しない表ガラスが取り付けられている。
【００３２】
このような計器１を組み立てるときには、ケース１１に文字板１３を搭載し、リング部材１７の受光部１７ａをケース１１の溝部にはめ込むようにして、リング部材１７をケース１１の対応する部位に取り付ける。そして、指針１５を挿着し、その上から見返し１９を覆設するだけでよい。したがって、計器１の組み立て時において、リング部材１７の組み付けは非常に容易である。
【００３３】
このような構成の計器１において、イグニッションオン時やコンライトスイッチオン時に発生する所定のトリガ信号に応答して、文字板光源１２１、リング用光源１２２、指針光源１２５等が点灯する。まず、文字板光源１２１の点灯により文字板１３が照明され、指針光源１２５の点灯により指針１５が照明されるが、これらに係る作用は従来通りであるので詳細な説明は省略する。
【００３４】
また、リング用光源１２２が点灯すると、図３に示すように、リング用光源１２２からの光Ｌ１は図中上方に向かいリング部材１７の受光部１７ａに入る。この光Ｌ１は、リング部材１７内を進行して、後傾斜面１７３で反射され、リング部材１７の裏面に印刷形成された反射層１７２に向かう。そして、反射層１７２で反射された光Ｌ２は、半透明の目盛意匠１７１を透過して、乗員側に向かう。これによって、ドライバ等からは、白色の反射層１７２をバックにして、例えば青色の目盛意匠１７１が視認される。
【００３５】
目盛意匠１７１に入る光Ｌ２の一部は、目盛意匠１７１で反射されて再度反射層１７２に向かい反射される。反射層１７２で反射された光Ｌ２′は、図中上方に向かいリング部材１７の傾斜面１７０又は目盛意匠１７１を透過して乗員側に向かう。これによって、ドライバ等からは、白色の反射層１７２に投影されたやや青みがかった目盛意匠１７１の影１７１′が視認される。
【００３６】
このような光が合成されて、ドライバ等からは、白色の反射層１７２に投影された目盛意匠１７１の影１７１′から、青色の目盛意匠１７１がリング部材１７の厚さぶんだけ浮き出したように視認される。なお、リング部材１７全体は、白色の反射層１７２や光源１２２の発光色に依存する色で光輝する。したがって、従来の計器にはない深みのある立体感を表現できる。
【００３７】
このように第１実施形態の計器によれば、従来の計器にはない深みのある立体感を表現できる。また、リング部材１７は、文字板１３に近接する部位を最低部として外側に向かうにしたがって徐々に上昇するような傾斜面状になっているので、より深みのある立体感を表現できる。
【００３８】
[第２実施形態]
図４〜図１６は、本発明の第２実施形態の計器に係るものである。すなわち、図４は、本発明の第２実施形態に係る計器の要部を示す斜視図である。図５は、図４の計器の断面図である。図６は、本発明の第２実施形態の作用を説明するための要部断面図である。なお、図４の斜視図において、図５で示す断面に相当する部分は断面状に表現されている。
【００３９】
第２実施形態の計器２は、例えば、単眼メータ、又は、図１７で示したようなコンビネーションメータにおける速度計に適用される。図４及び図５に示すように、計器２は、ケース２１、基板２２、文字板（請求項の平板状の表示部に対応する）２３、拡散板２４、指針２５、第１リング部材２７、第２リング部材２８及び見返し２９を含んで構成される。
【００４０】
ケース２１は、例えば、樹脂製であり、この計器２の外形を構成する。ケース２１には、文字板光源２２３からの光を効率的に文字板２３に与えるためのお椀状の傾斜面や指針光源２２５からの光を効率的に指針２５に与えるための円筒部２１１が一体形成されている。また、ケース２１は、文字板２３、拡散板２４、第１リング部材２７、第２リング部材２８等の形状に対応した受け構造になっている。特に、ケース２１には、リング状に凸設された第１リング部材２７の受光部２７ａに対応するような、リング状の溝部２３ａが設けられている。また、第２リング部材２８に対応するように、リング状の溝部２３ｂが設けられている。
【００４１】
基板２２は、ケース２１に保持されて、第１リング用光源２２１、第２リング用光源２２２、文字板光源２２３、ＩＣチップ等の各種の電子部品２２４、指針光源２２５及びムーブメント２６等を搭載する。各光源２２１、２２２、２２３及び２２５はそれぞれ、複数個づつ配置されており、周知の発光ダイオードが用いられている。特に、第１リング用光源２２１及び第２リング用光源２２２はそれぞれ、第１リング部材２７及び第２リング部材２８の形状に応じて均等間隔でリング状に複数個配置されている。また、各光源２２１、２２２、２２３及び２２５間は、ケース２１に一体形成された垂直壁や傾斜壁によって分離されている。垂直壁で仕切られて形成された第１リング用光源２２１及び第２リング用光源２２２の収容部はそれぞれ、上述した溝部２３ａ及び２３ｂを構成している。
【００４２】
文字板２３は、例えば、円盤状又は半円盤状の透明生地のポリカーボネイト製である。透明生地の文字板２３には、速度を示す数字意匠２３１等の意匠が中抜きされて、黒色のインクが塗布されている。文字板２３の裏面には、拡散板２４が重着されている。拡散板２４は、例えば、白濁色の樹脂製であり、文字板光源２２３からの光を受けて拡散し、これを文字板２３裏面に与える。拡散板２４の文字板光源２２３の対向する部位は、受光効率を上げるために凸状になっている。
【００４３】
指針２５は、ムーブメント２６の回転軸に挿着されている。指針２５は、速度センサからの速度信号に応じた角度だけムーブメント２６に回転されて、文字板２３上の数字意匠２３１等を指示する。指針２５には、その下面に例えば赤色のホットスタンプ層が形成されており、指針光源２２５からの光を受けて、ホットスタンプ層に基づく色で光輝する。
【００４４】
第１リング部材２７は、文字板２３を周回するような例えば透明樹脂製のリング状をしている。第１リング部材２７は、樹脂に限らず、裏面側に配置された光源２２１からの光を透過させる材料であればよい。第１リング部材２７は、透光性があれば、薄色で着色されていてもよい。第１リング部材２７の表面は、乗員側への出光面であり、文字板２３に近接する部位を最低部として外側に向かうにしたがって徐々に上昇するような傾斜面状になっている。この傾斜面２７０には、指針２５に指示される意匠としての目盛意匠２７１が例えば印刷形成されている。なお、目盛意匠２７１は凹凸状に形成してもよい。
【００４５】
また、第１リング部材２７の裏面側（ドライバ等の視点と反対面側）は、上記傾斜面２７０よりも幅狭の受光部２７ａが裏面側に延びるようにリング状に凸設されている。受光部２７ａの端部は図示するように平面状であるが、受光効率を向上させるために曲面状に形成してもよい。第１リング部材２７において見返し２９に対向する後傾斜面２７３もまたリング状の平面状に形成されている。
【００４６】
更に、第１リング部材２７の傾斜面２７０には、上述したように目盛意匠２７１が形成されている。目盛意匠２７１は、例えば、橙色や青色等で印刷形成されている。但し、目盛意匠２７１は他の色であってもよい。また、目盛意匠２７１に凹凸を持たせてもよい。また、第１リング部材２７の傾斜面２７０には、目盛意匠２７１に替えて数字意匠を形成してもよいしこれらの両意匠を形成してもよい。また、図示しないが、第１リング部材２７の裏面には第１実施形態と同様の反射層が形成されている。
【００４７】
一方、第２リング部材２８は、文字板２３を周回するような例えば透明樹脂製のリング状をしているが、第１リング部材２７よりも小型であって矩形断面をしている。すなわち、第２リング部材２８は、第１リング部材２７によって乗員側に対して隠蔽されるような形状になっている。第２リング部材２８もまた、樹脂に限らず、裏面側に配置された光源２２２からの光を透過させる材料であればよい。第２リング部材２８の表面は、第１リング用光源２２１の裏面に対向又は密着するような平面形状になっており、光源２２２からの光を第１リング用光源２２１の裏面に出射する。第２リング部材２８の裏面、すなわち、光源２２２に対向する面には、光源２２２からの光を均等化して表面に出射するための拡散部２８１が形成されている。拡散部２８１は、印刷形成してもよいし、拡散シートを貼付して形成してもよい。なお、第２リング部材２８の断面形状は図示するように矩形であることが好ましいが、発明は矩形に限定するものではない。種々の変形例については後述する。
【００４８】
なお、第１リング部材２７における上記傾斜面２７０に連接されるリング状の後傾斜面２７３は、例えば、黒色樹脂製の見返し２９で覆われて、ドライバ等の側からは隠匿されている。これによって、乗員側からは、第１リング部材２７における傾斜面２７０のみが視認される。また、文字板２３及び第１リング部材２７等を覆うようにして、図示しない表ガラスが取り付けられている。
【００４９】
このような計器２を組み立てるときには、ケース２１に文字板２３を搭載し、第２リング部材２８を溝部２３ｂにはめ込み、その上から第１リング部材２７の受光部２７ａをケース２１の溝部２３ａにはめ込むようにして、第１リング部材２７及び第２リング部材２８をケース２１の対応する部位に取り付ける。そして、指針２５を挿着し、その上から見返し２９を覆設するだけでよい。したがって、計器２の組み立て時において、第１リング部材２７及び第２リング部材２８の組み付けは非常に容易である。
【００５０】
このような構成の計器２において、イグニッションオン時やコンライトスイッチオン時に発生する所定のトリガ信号に応答して、文字板光源２２３、第１リング用光源２２１、第２リング用光源２２２、指針光源２２５等が点灯する。まず、文字板光源２２３の点灯により文字板２３が照明され、指針光源２２５の点灯により指針２５が照明されるが、これらに係る作用は従来通りであるので詳細な説明は省略する。
【００５１】
また、第１リング用光源２２１が点灯すると、図６に示すように、第１リング用光源２２１からの光Ｌ１は図中上方に向かい第１リング部材２７の受光部２７ａに入る。この光Ｌ１は、第１リング部材２７内を、後傾斜面２７３や裏面等で反射されつつ半透明の目盛意匠２７１が形成されている傾斜面２７０に向かう。
【００５２】
また、第２リング用光源２２２が点灯すると、図６に示すように、第２リング用光源２２２からの光Ｌ２は図中上方に向かい拡散板２８１を介して第２リング部材２８内に入る。この光Ｌ２は拡散板２８１によって均等化されて第２リング部材２８内を、図中上方に進行し、第２リング部材２８の上面から出射されて、第１リング部材２７の裏面に入る。そして、第１リング部材２７内を進行して半透明の目盛意匠２７１が形成されている傾斜面２７０に向かう。
【００５３】
このような光Ｌ１及びＬ２に起因する光は第１リング部材２７の裏面に形成された反射層等に当たることにより合成されて、傾斜面２７０から直接出射されたり、半透明の目盛意匠２７１を透過して、乗員側に向かう。したがって、ドライバ等からは、第１リング部材２７全体が光Ｌ１及びＬ２に起因する光の合成色で光輝し、目盛意匠２７１は青色や橙色に光輝しているように視認される。
【００５４】
上記第１リング部材２７及び第２リング部材２８は、図７及び図８のように変形してもよい。図７（Ａ）〜図７（Ｃ）は、本発明の第２実施形態に係る第１リング部材及び第２リング部材の変形例を示す断面図である。図８は、本発明の第２実施形態に係る第１リング部材及び第２リング部材の他の変形例を示す断面図である。
【００５５】
図７（Ａ）に示す変形例では、第１リング部材２７を第２リング部材２８に比べて相対的に大型化する。特に、第１リング部材２７における第２リング部材２８に対向する裏面を、第２リング部材２８の上面に対して広くする。これによって、第２リング部材２８を例えば図中Ｓで示す範囲内で、適宜ずらすことが可能となり、第１リング部材２７から出射される光の濃淡や明暗を微調整することが可能になる。グラデーションを発生させることも可能になる。
【００５６】
図７（Ｂ）に示す変形例では、内側（指針軸方向）に向けて厚さＤが徐々に薄くなるような断面三角形状の第２リング部材２８′にする。内側に向けて徐々に厚くなるような断面三角形状であってもよい。これによって、第１リング部材２７から出射される光の濃淡や明暗を微調整することが可能になる。グラデーションを発生させることも可能になる。
【００５７】
図７（Ｃ）に示す変形例では、内側に向けて徐々に裏面が上昇するような断面形状の第１リング部材２７″及び内側に向けて徐々に表面が上昇するような断面形状の第２リング部材２８″にする。或いは、上記裏面及び裏面がこの逆に変化するようにしてもよい。これによって、第１リング部材２７″から出射される光の濃淡や明暗を微調整することが可能になる。グラデーションを発生させることも可能になる。
【００５８】
図８に示す他の変形例では、受光部２７Ｘａ及び２８Ｘａが共に同心円状になるような第１リング部材２７Ｘ及び第２リング部材２８Ｘにする。これによって、図４〜図６で示した第１リング部材２７とコンパクトな第１リング部材２７Ｘが得られる。これにともなって第１リング用光源２２１の配置やその収容部も簡素化されるため、最終的に、計器のケースの構造が簡素化される。なお、図８に示す変形例に、上記図７（Ａ）〜図７（Ｃ）に示した変形例を組み合わせてもよい。
【００５９】
次に、上述したきた第１リング用光源及び第２リング部材の調光の仕方についてより詳細な説明を加える。図９は、第１リング用光源及び第２リング部材の調光を実現するための回路構成を示すブロック図である。図１０は、第１リング用光源及び第２リング部材の調光方法に係る一処理手順を示すフローチャートである。図１１及び図１２は、図１０の処理手順に係るタイムチャートである。
【００６０】
また、図１３は、第１リング用光源及び第２リング部材の調光方法に係る他の処理手順を示すフローチャートである。図１４は、図１３の処理手順に係るｘｙ色度図を示すグラフである。図１５及び図１６は、図１３の処理手順に係るタイムチャートである。
【００６１】
図９に示すように、ＣＰＵ（中央処理装置）２０１には、５Ｖ電源２０２、インターフェース回路２０３、第１リング用光源２２１、第２リング用光源２２２、文字板光源２２３及び指針光源２２５が接続されている。なお、これらは計器２に内蔵されている。
【００６２】
ＣＰＵ２０１は、図示しない記憶回路に格納される制御プログラムにしたがって後述の処理手順を実行するものであり、請求項の調光手段に対応するものである。５Ｖ電源２０２は、バッテリ電圧ＢＡＴを５Ｖ系直流電圧に変換してＣＰＵ２０１の電源端子ＶＤＤに与える。５Ｖ電源２０２はバッテリ電圧ＢＡＴが異常低下して５Ｖ系直流電圧を供給できなくなるとＣＰＵ２０１のリセットＲＳＴ端子に異常信号を与え、ＣＰＵ２０１が小電力モードに入るとＣＰＵ２０１のスリープ信号端子ＳＬＰからスリープ信号を受ける。
【００６３】
インターフェース回路２０３は、イグニッション信号ＩＧＮをＣＰＵ２０１で処理可能な直流信号に変換してＣＰＵ２０１に与える。第１リング用光源２２１、第２リング用光源２２２、文字板光源２２３及び指針光源２２５は、図４〜図６で示したように配置されており、それらの一端に駆動電圧が印加されて、ＣＰＵ２０１からの指令信号に応答して点灯／消灯制御される。
【００６４】
このような構成において、図１０に示す処理手順では、ステップＳ１０１においてイニシャライズ処理が実行された後、ステップＳ１０２においては、イグニッション信号ＩＧＮが監視されており（ステップＳ１０２のＮ）、図１１に示すように、イグニッションＩＧＮがＯＮであると判断されると（ステップＳ１０２のＹ）、ステップＳ１０３に進んで、第１リング用光源２２１が点灯（ＯＮ）される。ステップＳ１０４においては、一定時間経過するのが監視されており（ステップＳ１０４のＮ）、第１リング用光源２２１が点灯してから一定時間経過したと判断されると（ステップＳ１０４のＹ）、ステップＳ１０５に進んで、第２リング用光源２２２が点灯（ＯＮ）される。
【００６５】
ステップＳ１０６においては、更に一定時間経過するのが監視されており（ステップＳ１０６のＮ）、第２リング用光源２２２が点灯してから一定時間経過したと判断されると（ステップＳ１０６のＹ）、ステップＳ１０７及びステップＳ１０８に進んでそれぞれ、指針光源２２５及び文字板光源２２３が点灯（ＯＮ）される。
【００６６】
このような処理手順により、第２リング用光源２２２は第１リング用光源２２１よりも遅延して点灯される。こうすることによって、リング照明の色を第１リング用光源２２１の発光色から、第１リング用光源２２１の発光色と第２リング用光源２２２の発光色との合成色に変化させることができる。
【００６７】
また、図１０の処理手順を流用しつつ、図１２に示すように、第１リング用光源２２１及び第２リング用光源２２２を徐々にｄｕｔｙを上げていくようにして点灯させる。なお、ｄｕｔｙを上げるにつれ光源は明るく光輝する。こうすることによって、リング照明の色を徐々に第１リング用光源２２１の発光色に変化させ、続いて、リング照明の色を第１リング用光源２２１の発光色から、第１リング用光源２２１の発光色と第２リング用光源２２２の発光色との合成色に徐々に変化させることができる。
【００６８】
更に、図１３に示す処理手順では、ステップＳ２０１においてイニシャライズ処理が実行された後、ステップＳ２０２及びステップＳ２０３においてそれぞれ、第１リング用光源ｄｕｔｙ変化及び第２リング用光源ｄｕｔｙ変化をセットする。これらｄｕｔｙ変化は、図９では図示しない記憶装置に予め格納されており、これらが読みだされてＲＡＭ上にセットされる。ｄｕｔｙ変化は、図１４及び図１５に例示されている。
【００６９】
次に、ステップＳ２０４においては、電源ＯＮ（又はＯＦＦ）になるのが監視されており（ステップＳ２０４のＮ）、電源ＯＮ（又はＯＦＦ）になったと判断されると（ステップＳ２０４のＹ）、ステップＳ２０５及びステップＳ２０６に進んで、ステップＳ２０２及びステップＳ２０３でセットされたｄｕｔｙ変化に基づいて、第１リング用光源２２１及び第２リング用光源２２２が点灯開始される。この点灯は、ステップＳ２０７において所定の終了トリガがあるまで継続される。
【００７０】
第１リング用光源ｄｕｔｙ変化及び第２リング用光源ｄｕｔｙ変化は、図１５の期間Ｔ１及びＴ２に示すように、第１リング用光源２２１の発光色と第２リング用光源２２２の発光色とを補色の関係、例えば青色及び赤色、にして互いに逆の傾向でｄｕｔｙ変化させる。或いは、図１６の期間Ｔ３、Ｔ４に示すように、第１リング用光源２２１の発光色と第２リング用光源２２２の発光色とを同系色の異なる色、例えば青色及び緑（又は、黄色及び橙色）の関係にして互いに逆の傾向でｄｕｔｙ変化させる。
【００７１】
こうすることによって、リング照明の色を第１リング用光源２２１の発光色の影響が強い合成色から、第２リング用光源２２２の発光色の影響が強い合成色に徐々に変化させることができる。特に、補色の関係にある合成色では劇的な色変化が得られ、同系色の関係にある合成色では穏やかな色変化が得られる。
【００７２】
なお、リング照明の色を、図１４のｘｙ色度図に示すような藍色（図中ｃ１近傍）→白色→橙色（図中ｃ２近傍）のような色軌跡を経て変化させるようにしてもよい。
【００７３】
このように第２実施形態の計器によれば、異なる色の光の合成によってリング照明を適宜調光することが可能になる。したがって、表現の自由度を大幅に高めることが可能になる。また、第１リング部材２７は、文字板２３に近接する部位を最低部として外側に向かうにしたがって徐々に上昇するような傾斜面状になっているので、深みのある立体感を表現することもできる。
【００７４】
以上説明したように、本発明の実施形態によれば、深みのある立体感を表現でき、また、表現の自由度の高い計器を提供することができる。
【００７５】
なお、実施形態で例示したリング部材、第１リング部材及び第２リング部材は、完全に閉じたリングである必要はなく、馬蹄形をしたものであってもよい。すなわち、請求項のリング状部材とはこのようなリング形状も含むものである。また、リング部材に形成する意匠は、目盛意匠のみならず数字意匠等であってもよいし、凸状又は凹状に形成してもよい。また、文字板は正円であってもよいし、楕円であってもよい。また、本発明の計器は、速度計に限定されるものでなく、エンジン回転計等のような他のゲージにも適用可能である。また、アナログゲージ以外のディジタルゲージにも適用可能である。更に、車両以外に搭載する計器にも適用可能である。
【図面の簡単な説明】
【００７６】
【図１】本発明の第１実施形態に係る計器の要部を示す斜視図である。
【図２】図１の計器の断面図である。
【図３】本発明の第１実施形態の作用を説明するための要部断面図である。
【図４】本発明の第２実施形態に係る計器の要部を示す斜視図である。
【図５】図４の計器の断面図である。
【図６】本発明の第２実施形態の作用を説明するための要部断面図である。
【図７】図７（Ａ）〜図７（Ｃ）は、本発明の第２実施形態に係る第１リング部材及び第２リング部材の変形例を示す断面図である。
【図８】本発明の第２実施形態に係る第１リング部材及び第２リング部材の他の変形例を示す断面図である。
【図９】第１リング用光源及び第２リング部材の調光を実現するための回路構成を示すブロック図である。
【図１０】第１リング用光源及び第２リング部材の調光方法に係る一処理手順を示すフローチャートである。
【図１１】図１０の処理手順に係るタイムチャートである。
【図１２】図１０の処理手順に係るタイムチャートである。
【図１３】第１リング用光源及び第２リング部材の調光方法に係る他の処理手順を示すフローチャートである。
【図１４】図１３の処理手順に係るｘｙ色度図を示すグラフである。
【図１５】図１３の処理手順に係るタイムチャートである。
【図１６】図１３の処理手順に係るタイムチャートである。
【図１７】この種の従来の計器を示す正面図である。
【図１８】図１７におけるＸＸ線断面図である。
【符号の説明】
【００７７】
１、２  計器
１１、２１  ケース
１２、２２  基板
１３、２３  文字板（平板状の表示部）
１４、２４  拡散板
１５、２５  指針
１７  リング部材（リング状部材）
２７  第１リング部材（リング状部材）
２８  第２リング部材（第２リング状部材）
１９、２９  見返し
２０１  ＣＰＵ（調光手段）
２０２  ５Ｖ電源
２０３  インターフェース回路
【図１】
2007085983.tif 000003
【図２】
2007085983.tif 000004
【図３】
2007085983.tif 000005
【図４】
2007085983.tif 000006
【図５】
2007085983.tif 000007
【図６】
2007085983.tif 000008
【図７】
2007085983.tif 000009
【図８】
2007085983.tif 000010
【図９】
2007085983.tif 000011
【図１０】
2007085983.tif 000012
【図１１】
2007085983.tif 000013
【図１２】
2007085983.tif 000014
【図１３】
2007085983.tif 000015
【図１４】
2007085983.tif 000016
【図１５】
2007085983.tif 000017
【図１６】
2007085983.tif 000018
【図１７】
2007085983.tif 000019
【図１８】
2007085983.tif 000020